(57)【要約】【課題】主としてパンプス等の開口部の大きい靴類、その他スリッポン、スニーカー等の靴類の内側に着用するフットカバー及びその製造方法に関し、足の甲の部分に裸出せず外観体裁を維持できるというこの種のフットカバーの利点を維持しつつ、且つ歩行中に不用意に脱げるおそれのなく、しかも製造が簡易で履き心地のよいフットカバーを提供することを課題とする。【解決手段】フットカバーの特徴は、ヒール部２、トウ部３、及び該ヒール部２とトウ部３間のソール部４からなり、上部に開口部５が形成されて甲部が存在しない状態に成形編みされていることである。また、フットカバーの製造方法の特徴は、編糸を掛止する針９が円周状に配設された自動丸編靴下編機のシリンダ８を交互に正方向及び逆方向に回転させながら、上部に開口部５を形成しつつ、ヒール部２、トウ部３、及び該ヒール部２とトウ部３間のソール部４を連続的に編成して製造することである。【選択図】　　図１
2004060081.tif 000002
【特許請求の範囲】
【請求項１】
ヒール部（２）　、トウ部（３）　、及び該ヒール部（２）　とトウ部（３）　間のソール部（４）　からなり、上部に開口部（５）　が形成されて甲部が存在しない状態に成形編みされていることを特徴とするフットカバー。
【請求項２】
編糸を掛止する針（９）　が円周状に配設された自動丸編靴下編機のシリンダ（８）　を交互に正方向及び逆方向に回転させながら、ヒール部（２）　、トウ部（３）　、及びソール部（４）　が連続的に編成されている請求項１記載のフットカバー。
【請求項３】
トウ部（３）　におけるゴアラインよりも先端側の生地の編みコース数が、トウ部（３）　におけるゴアラインよりも後端側の生地の編みコース数に比べて少なくなるように編成されている請求項１又は２記載のフットカバー。
【請求項４】
編糸を掛止する針（９）　が円周状に配設された自動丸編靴下編機のシリンダ（８）　を交互に正方向及び逆方向に回転させながら、上部に開口部（５）　を形成しつつ、ヒール部（２）　、トウ部（３）　、及び該ヒール部（２）　とトウ部（３）　間のソール部（４）　を連続的に編成して製造することを特徴とするフットカバーの製造方法。
【請求項５】
シリンダ（８）　の円周状に配設された多数の針（９）　のうち、１／５　〜２／５　の針は、糸を掛止するための掛止部が欠損され、３／５　〜４／５　の針は、糸を掛止するための掛止部が残存して形成されている請求項４記載のフットカバーの製造方法。
【請求項６】
トウ部（３）　におけるゴアラインよりも先端側の生地の編みコース数が、トウ部（３）　におけるゴアラインよりも後端側の生地の編みコース数に比べて少なくなるように編成する請求項４又は５記載のフットカバーの製造方法。
【発明の詳細な説明】
【０００１】
【発明の属する技術分野】
本発明は、フットカバーとその製造方法、さらに詳しくは、主としてパンプス等の開口部の大きい靴類、その他スリッポン、スニーカー等の靴類の内側に着用するフットカバー及びその製造方法に関する。
【０００２】
【従来の技術】
一般にパンプス等の靴を女性が履く場合、冬場等では冷えの防止のためのみならず、靴の着脱時に滑りを良くする意味でもストッキングが着用されるが、夏場では汗や蒸れ等で着用者に不快感を与えるため、素足でパンプスを履く場合がある。
【０００３】
これは、スニーカー等と異なり、パンプスのように開口部の大きい靴の場合、短い靴下を着用すると足の甲側に靴下が裸出するので体裁が悪く、そのために素足でパンプスを履くことが一種のファッションとして定着した感もある。
【０００４】
ところが、現実には素足で靴を着用すること自体、不快感を免れることはできない。従って、パンプスを履く場合には、夏場であってもストッキングを着用する女性もいる。そして、素足でパンプスを履くかストッキングを着用するかは、着用する女性の判断によるが、いずれにしても満足な状態で判断されているわけではない。
【０００５】
そこでこのような点に鑑み、最近ではパンプスのような開口部の大きい靴であっても、足の甲の部分に裸出せず、体裁を損なうことがないようなフットカバーが使用されつつある。
【０００６】
【発明が解決しようとする課題】
しかし、このようなフットカバーは、パンプスのような開口部の大きい靴であっても、足の甲の部分に裸出しないように形成されているため、全体の形状が底浅型であり、歩行中に不用意に脱げるおそれがある。
【０００７】
このような問題を解決するために、特開平６−２２０７０３号や、特開平１０−２９２２０６号のような出願もなされているが、これらの特許出願は、滑り止め或いは摩擦付与等の手段を設けて上記のような問題を解決しようとしたものであり、根本的に上記問題を解決するには至っていない。
【０００８】
そして、これは上記のようなフットカバーの製造方法に起因している。すなわち、上記従来のフットカバーは、一般の靴下を製造する場合と同様に、自動丸編靴下編機によって、ソール部（足底部）及びインステップ部（足甲部）からなるフート部を編成するとともにヒール部及びトウ部をそれぞれ編成して靴下の形態に縫製したものを、足の甲の部分に開口部が形成されるように裁断して製造されている。
【０００９】
このようにフート部、ヒール部、トウ部を編成して靴下状の形態とした後に裁断して製造されるため、その製造後のフットカバーは、裁断された端縁が開口部の端縁とされた形態となる。この場合、裁断すべき位置は容易に設定できるわけではないので、パンプスを履いた際に足の甲の部分に裸出しないようなラインとなり、しかも歩行時に不用意に脱げることのないようなラインとなるように、開口部の端縁のラインを合致させることは困難となっていた。
【００１０】
ちなみに、フート部においては、ソール部（足底部）とインステップ部（足甲部）とを色柄を変えて縫製する等により、その境界部分を切断する目印部分とすることもできないこともないが、トウ部やヒール部においては、目印となる部分を設定することは不可能であり、その結果、特にトウ部では、パンプス等を履いた際に開口部から足の甲の部分に裸出しないように且つ歩行時に不用意に脱げないように開口部端縁のラインを設定するのが非常に困難となっていた。
【００１１】
また、靴下状の形態とされたものを裁断する工程が必要となるため、全体として製造が煩雑となっていた。
【００１２】
さらに、トウ部では孔のあいた部分を縫合して靴下状の形態とした後に裁断するので、上記縫合した縫い目がどうしても残存することとなり、その分履き心地が悪くなるという問題点があった。
【００１３】
本発明は、このような問題点を解決するためになされたもので、足の甲の部分に裸出せず外観体裁を維持できるというこの種のフットカバーの利点を維持しつつ、且つ歩行中に不用意に脱げるおそれのなく、しかも製造が簡易で履き心地のよいフットカバーを提供することを課題とする。
【００１４】
【課題を解決するための手段】
本発明は、このような課題を解決するために、フットカバーとその製造方法としてなされたもので、フットカバーとしての特徴は、ヒール部２、トウ部３、及び該ヒール部２とトウ部３間のソール部４からなり、上部に開口部５が形成されて甲部が存在しない状態に成形編みされていることである。
【００１５】
また、フットカバーの製造方法としての特徴は、編糸を掛止する針９が円周状に配設された自動丸編靴下編機のシリンダ８を交互に正方向及び逆方向に回転させながら、開口部５を形成しつつ、ヒール部２、トウ部３、及び該ヒール部２とトウ部３間のソール部４を連続的に編成して製造することである。
【００１６】
トウ部におけるゴアラインよりも先端側Ｇの生地の編みコース数が、トウ部におけるゴアラインよりも後端側Ｆの生地の編みコース数に比べて少なくなるように編成することも可能であり、特に、女性のパンプス等の靴の内側に着用するフットカバーの場合には、パンプスからはみ出ないようにするためにも、このように編成するのが望ましい。
【００１７】
また、ソール部４は、開口部の端縁をほぼまっすぐに形成するために、目減らし及び目増しなしの状態で編成されることが望ましい。
【００１８】
さらに、シリンダの円周状に配設された多数の針のうち、１／５　〜２／５　の針は、糸を掛止するための掛止部（フック部１０）が欠損され、３／５　〜４／５　の針は、糸を掛止するための掛止部（フック部１０）が残存して形成されていることが望ましい。ただし、シリンダーのゲージ、針数によって、その数値範囲は変動する可能性もある。
【００１９】
【発明の実施の形態】
以下、本発明の実施形態について図面に従って説明する。
【００２０】
図１乃至図３において、１　は全体が略船形に形成されたフットカバー本体で、後端側のヒール部２（かかと部）と、先端側のトウ部３（爪先部）と、該ヒール部２及びトウ部３間のソール部４（足底部）とで構成されている。フットカバー本体１は綿、ポリアミド系合成繊維、ポリウレタン繊維で構成されている。
【００２１】
そして、フットカバー本体１の上面には開口部５が形成されている。この開口部５の開口端縁は、非裁断状態に形成されたものである。そして、その開口部５の開口端縁のうち、トウ部３における開口端縁はフットカバー本体１の編成コース目に沿うラインを有して形成され、ソール部４における開口端縁はフットカバー本体１の編成コース目と交差する方向のラインを有して形成されている。また、開口部５の開口端縁は、ゴム装着のための縫製がされている。
【００２２】
このフットカバー本体１のヒール部２、ソール部４、トウ部３は、糸を掛止する掛止部（フック部）を有するべら針が円周状の全周に配設された自動丸編靴下編機のシリンダを交互に正方向及び逆方向に回転させながら連続的に編成されている。
【００２３】
次に、上記のような構成からなるフットカバー７の製造方法の実施形態について説明する。
【００２４】
本実施形態のフットカバー７を製造するに際しては、一般の自動丸編靴下編機の一部を改良したもの、すなわち図４及び図５に示すようなシリンダ８の円周状全周に、図６に示すように、上端にフック部１０を有するとともに下端にバット部１１を有する針９（ベラ針）を２００本配設した自動丸編靴下編機を改良したものが用いられる。この針９は、シリンダ８の溝部１２内に挿入されるものである。
【００２５】
本実施形態では、配設された２００　本の針のうち、１４０　本の針については一般のベラ針と同様にフック部１０及びバット部１１を有するものであるが、この１４０　本の針のうちの両端の針に隣接するそれぞれ２本分（計４本）についてはフック部１０もバット部１１もない。すなわち針自体がシリンダの溝に存在していない。
【００２６】
さらに残りの５６本の針については、バット部１１は存在するが、フック部１０が欠損しているものである。そして、フック部１０が欠損している針のバット部１１は長いものであり、フック部１０を有する上記１４０　本の針のバット部１１は短いものである。
【００２７】
一般の靴下の製造機においては、円周状全周に配設された針のすべてのフック部に糸が掛止される結果、ヒール部やトウ部はシリンダを交互に正方向及び逆方向に回転させながら編成され、ソール部及びインステップ部（足甲部）からなるフート部（足部）は、シリンダを正方向に回転させながら編成されることで、全周に生地が存在する靴下が製造されることになる。
【００２８】
しかし、本実施形態では、６０本の針のフック部が欠損されているので、そのフック部が欠損した針は糸を編成せず、従って、１４０　本の針のみが編成に寄与し、しかもシリンダが正逆方向に交互に回転するので、図１乃至３に示すように足の甲部に編み生地がない状態のフットカバー本体１が編成されることとなるのである。
ここで、フック部が欠損された６０本の針のうち、フック部１０を有する１４０　本の針の両端の針に隣接するそれぞれ２本分（計４本）についてバット部１１も欠損させているのは、後述のように、針下げピッカーによって２本の針下げを行うべきところ、１本の針下げしか行われないようにするためである。
また、その反面、残りの５６本についてフック部１０を欠損させているにもかかわらず、長いバット部１１を残存させているのは、この長いバット部１１は針下げピッカーが不用意に上昇するのを規制しており、長いバット部１１が存在しないと、針下げピッカーが不用意に上昇して非編成レベルにある短いバット部１１を編成レベルに下げるおそれがあり、その場合、その短いバット部１１を有する針によって不用意に編成がなされるおそれがあるからである。
【００２９】
しかも、本実施形態では、ヒール部２及びトウ部３のみならず、その間のソール部４も、上記シリンダ８を交互に正方向及び逆方向に回転させながら編成されるので、ヒール部２、ソール部４、トウ部３が連続的に編成されることとなる。
【００３０】
ここで、シリンダ８の下部には、一般の自動丸編靴下編機の場合と同様に、カム等が具備されており、そのシリンダ８の回転に伴い、カムに沿って針９が図７（イ）、（ロ）、（ハ）、（ニ）のように順次上下動し、糸１３をループ状に順次結着していくことによって、編成が行われるのである。尚、カムとしては、図８に示すように、センターカム１７や左度山カム２０、右度山カム２１が用いられている。
【００３１】
本実施形態のフットカバー７の製造方法を説明するに際し、その説明の便宜上、先ず自動丸編靴下編機による一般的な靴下の製造方法、特に本実施形態に関連するヒール部及びトウ部の製造工程を説明する（靴下工学：日本靴下工業組合連合会編集，日本靴下協会発行１９７９年１０月２０日発行，Ｐ１１０〜１１３　）。
【００３２】
一般に、自動丸編靴下編機による靴下の製造工程においてヒール部とトウ部とが編成される場合には、図９（イ）に示すようにシリンダの半周部分１４（シリンダのキー溝のある部分とは反対側）にある針、すなわち長いバット部を有する針をセンター・カム１７に上げて非編成状態とし、残る半周部分１５の短いバット部を有する部分の針によってシリンダの正逆往復回転により、針上げピッカー１９及び針下げピッカー２４による目減らしや目増やしを行ないながら、ヒール部とトウ部とが編成される。
【００３３】
針上げピッカー１９及び針下げピッカー２４によって目減らしや目増やしをした境目のラインをゴア・ラインと呼び、このゴア・ラインの目数を針の上げ下げの数という。針上げピッカー１９及び針下げピッカー２４は、図１０や図１１に示すようにシリンダ８に近接して配置されている。
【００３４】
ヒール部とトウ部の編成時、シリンダの回転が正回転から、正逆往復回転に切り替えられるが、この際、長いバット部を有する針９ａは、図１２に示すように上げスイッチ・カム１６によって非編成状態の位置に上げられる。これは、図１３に示すように、上げスイッチ・カム１６がシリンダ面に対し短いバット部を有する針９ｂを通過させ、長いバット部を有する針９ａのみ係止し、作用させてセンター・カム１７の上面の位置（レベル）に上げるからである。
【００３５】
ヒール部とトウ部を編成する順序として、先ず短いバット部を有する針９ｂがすべて編成に寄与するが、シリンダ８の正逆往復回転に伴って、針上げピッカーにより短いバット部を有する針９ｂを左右交互に長いバット部を有する針９ａと同じレベルに上げ、短いバット部を有する針９ｂによる編成範囲１５を図９（ロ）のように狭くする（目減らし作用）。
【００３６】
図９（ロ）の状態から、針下げを作用させて再び編成範囲１５を図９（ハ）のように広げ（目増し作用）、ヒール部及びトウ部の編成を終了する。
【００３７】
針上げピッカーはシリンダ８が正逆の往復回転中、左右両回転に対し、１回転毎に編成レベルの針を上部の非編成レベル（センター・カム１７の上面）に上げ、目減らしの機能を果たす。針上げピッカー１９は、図１４に示すように、左度山カム２０及び右度山カム２１の凹部２２，２３　に入り、図１５に示すように１本目の針のバット１１に押されることによって、針上げピッカー１９自体が針のバット１１の１枚を保持し、図１４の矢印イに示すように斜面を滑ってセンター・カム１７の上部レベルに運ぶものである。
【００３８】
針下げピッカー２４は、図１６に示すように針のバット１１を２枚ずつ保持し、シリンダ８の正逆往復回転中、左右両回転に対し１回転ごとに休止レベル（センター・カム１７の上面）の針を、図１７に示すように各２本ずつ編成レベルに下げ、目増やしの機能を果たす。尚、図１６及び図１７において、２５はレベリングカムを示す。
【００３９】
針上げ、すなわち目減らしの工程では針が編成に寄与しないように、針上げピッカーにて針各１本ずつ、休止レベル（編成しない状態）に上げて目減らしとなるが、針下げすなわち目増やしの工程では針上げにより１本ずつ休止レベルに上げながら、針下げにて針を各２本ずつ編成レベルに下げるため、差し引き各１本ずつの目増やしができることになる。（靴下工学：日本靴下工業組合連合会編集，日本靴下協会発行１９７９年１０月２０日発行，Ｐ１１０〜１１３　）
【００４０】
以上は、一般の靴下の製造方法であるが、本実施形態では、針上げピッカーを用いた目減らしや、針下げピッカーを用いた目増やしを調整して行いつつ、上記のような靴下の製造方法に準じてフットカバー本体１のヒール部２、トウ部３、ソール部４を編成した。
【００４１】
そして、本実施形態では、ヒール部２側から編成し始め、次にソール部４を編成し、さらにトウ部３を編成する。図１８に示すＡ部乃至Ｇ部に応じて説明する。
尚、図１８において、２８，２９は、ヒール部２及びトウ部３の上部にそれぞれ設けられた捨糸部である。ヒール部２及びトウ部３においては、開口部の端縁が編み目に沿っているので、巻き込みがおこる、すなわち端縁における生地がカールするおそれがあり、ゴム付け縫製が困難になるため、上記のような捨糸部２８，２９　を保持してゴム付け縫製を容易にしたものである。この、捨糸部２８，２９　は、シリンダ８を正方向にのみ回転させて編成される。
【００４２】
先ず、ヒール部２のＡ部においては、針上げピッカーによって１本の針上げにより目減らしを行って編成する。
次に、ヒール部２のＢ部においては、針上げピッカーによって１本の針上げにより目減らしを行うとともに、針下げピッカーによって２本の鍼下げにより目増やしを行い、差し引き１本の目増やしがなされる。
【００４３】
次に、ヒール部２のＣ部においては、Ａ部と同様に編成する。
次に、ヒール部２のＤ部においては、Ｂ部と同様に編成する。
【００４４】
次に、ソール部４（Ｅ部）においては、針上げピッカーによって１本の針上げにより目減らしを行うとともに、針下げピッカーによって１本の鍼下げにより目増やしを行うが、シリンダの円周状全周に配設された２００　本の針のうち、フック部１０及びバット部１１を有する１４０　本の針の両端の針に隣接する２本分については、フック部１０もバット部１１も存在しないため、本来針下げピッカーによって２本の鍼下げが行われるべきところ、１本の鍼下げしか行われない。この結果、目減らしも目増やしも行われないこととなる。
【００４５】
次に、トウ部３のＦ部においては、Ａ部と同様に編成する。
さらに、トウ部３のＧ部においては、針上げピッカーによって１本の針上げにより目減らしを行うとともに、針下げピッカーによって２本の鍼下げにより目増やしを行うが、このときは、針上げピッカーによる針上げが規制される。
【００４６】
すなわち、この場合にはワイヤーを針上げピッカーに接続し、そのワイヤーに張力を作用させて針上げピッカーを非作動位置に上げれば、針上げピッカーによる針上げが行われないので、目減らしが行われなくなる。この結果、針下げ２本分の目増やしが行われたことになる。
【００４７】
以上のようにしてフットカバー本体１の編成が終了するが、本実施形態では、中央のソール部４が、針上げ１本、針下げ１本で目減らしも目増やしもなしという変則的な編成方法で編成されているので、ヒール部２やトウ部３のように編成が進むにつれて湾曲するようなことがなく、上端縁はほぼまっすぐな状態で編成されることとなる。
【００４８】
しかも、シリンダ８の円周状全周に配設された２００　本の針のうち、フック部１０及びバット部１１を有する１４０　本の針で編成され、残りの６０本の針は編成に寄与しないので、ソール部４は、甲部において編み生地が編成されることなく、上部に開口部５を形成しつつ、且つ足底から上の部分全体を包み込むような好適な形態に編成されることとなる。
【００４９】
また、従来のように裁断しなくとも、上記のような変則的な編成によって、上記のように開口部５の端縁が自動的に形成されることとなるのである。
また、トウ部３の先端部分（Ｇ部）においては、ワイヤーの引っ張り力で針上げピッカーの針上げが規制されて針下げ２本分の目増やしが行われるという変則的な編成方法がなされるため、トウ部３においてゴアライン３０よりも先端側のＧ部の部分における編みコース数が、ゴアライン３０よりも後端側のＦ部の部分における編みコース数の半分の数となり、その分生地が少なくなる。その結果、トウ部３の部分は、パンプス等を履いた際に、そのパンプスからはみ出ないように形成されることとなる。
尚、この場合、針上げピッカー規制のタイミングをずらせることによって、Ｆ部の部分における編みコース数を調整することもできる。
【００５０】
しかも、開口部５のトウ部３側の端縁２６は、図１９に示すように、そのトウ部３における編成コース目に沿うように該編成コース目のラインと同様のラインを描いて形成されることになり、結果的にトウ部３側の端縁２６における両側部２６ａ，２６ｂ　を結ぶ距離が最短距離となるように編成されることとなる。
この結果、トウ部３の部分が足から離脱しようとする力が作用しにくい形態となっている。
【００５１】
ちなみに、上記トウ部３におけるＧ部で、上述のようにエアシリンダによる針上げの規制を行わず、Ｇ部とＦ部における編みコース数を同じにすると、Ｇ部における編みコース数は前述の図１９の場合に比べて増えているので、図２０に示すようにトウ部３のＧ部における生地の量が増え、従って開口部５のトウ部３側の端縁２６は、図１９の場合に比べて足の甲側に延びている。
【００５２】
従って、そのままの状態でパンプスに着用すると、パンプスからトウ部３がはみ出ることになる。そこで、パンプスからはみ出ることがないように、図２７のような仮想切断線２７に沿ってトウ部３を切断することが必要となるが、その仮想切断線２７の切断端縁は、同図に示すようにトウ部３の編成コース目に沿わないこととなる。この場合において、仮想切断線２７の切断位置がフットカバーの開口部の端縁となり、その切断後の開口部の端縁が編成コース目に沿わず、結果的にトウ部３側の端縁２６における両側部２６ａ，２６ｂ　を結ぶ距離が最短距離よりも長くなる。
従って、トウ部３は足の爪先から位置ずれし易い状態となり、足からフットカバーが離脱し易い状態となるのである。
また、切断位置となる仮想切断線２７を的確に設定するような目印が存在しないため、その切断位置、ひいては縫製ラインを設定するのが困難となる。
【００５３】
これに対して、図１９のように、開口部５のトウ部３側の端縁２６が、トウ部３における網目に沿うようなラインを描いて形成され、トウ部３側の端縁２６における両側部２６ａ，２６ｂ　を結ぶ距離が最短距離となるように編成されるていると、トウ部３の部分が足から離脱しにくい状態となり、しかもトウ部３の先端側のＧ部における編みコース数がＦ部に比べて減らされているので、パンプスからはみ出ることがないような開口部５の端縁に形成されることとなるのである。
【００５４】
このように、本実施形態の製造方法によって、フットカバー本体１、特にヒール部２及びトウ部３から足が離脱することがないような且つパンプスを履いた際にはみでることがないような開口部５の端縁のラインを有する好適な形態のフットカバー７が得られた。
【００５５】
尚、上記実施形態では、円周上の全周に２００本の針が配設されたシリンダ８を具備する編機が用いられたが、シリンダ８に配設される針の本数、シリンダーの大きさ（釜径）及びゲージも該実施形態に限定されるものではない。
【００５６】
また、該実施形態では、フック部１０及びバット部１１を有する針を１４０　本残存させ、バット部１１は存在するがフック部１０を欠損させた針を５６本とし、残りの４本の針をフック部１０もバット部１１もないものとしたが、これらの針の比率は該実施形態に限定されるものではない。
【００５７】
ただし、足がフットカバーから離脱することがない開口部５の端縁のラインを有する好適な形態のものを得るためには、フック部１０及びバット部１１を有する針を全体の３／５　〜４／５　残存させ、フック部１０を欠損させた針を全体の１／５　〜２／５　とすることが好ましい。
また、上記実施形態では、針のフック部１０及びバット部１１を欠損させることで針下げピッカーによる針下げを１本ずつ行わせることで、１本の針上げ及び１本の針下げによって目減らし及び目増しなしの状態にしたが、目減らし及び目増しなしの状態にする手段はこれに限定されるものではなく、たとえば針上げピッカー及び針下げピッカーをともに機能させないようにして目減らし及び目増しなしにすることも可能である。
【００５８】
さらに、針上げピッカーや針下げピッカーによる調整の本数も該実施形態に限定されるものでない。
さらに、上記実施形態では、ワイヤーの引っ張り力で針上げピッカーの針上げを規制し、針下げ２本分の目増やしを行わうことで、トウ部３の先端部分（Ｇ部）における編みコース数をトウ部３の後端部分（Ｆ部）における編みコース数よりも減らすよう調整したが、この編みコース数の調整手段も該実施形態に限定されるものではない。
【００５９】
さらに、上記実施形態では、フットカバー本体１の素材として綿、ポリアミド系合成繊維、ポリウレタン繊維からなるものを用いたが、フットカバー本体１の素材も該実施形態に限定されるものではない。
【００６０】
さらに、上記実施形態では、女性のパンプス等の内側に着用するフットカバーに適用する場合について説明したが、これに限らず、たとえば紳士用靴の内面側に着用するフットカバーに本発明を適用することも可能である。
【００６１】
ただし、紳士用靴はパンプスのように開口部が大きいわけではないので、上記のようにトウ部３におけるＧ部とＦ部における編みコース数は同じであってもよく、この場合はエアシリンダによる針上げの規制を行なう必要がない。
従って、Ｇ部とＦ部における編みコース数を変えることは本発明に必須の条件ではない。
【００６２】
【発明の効果】
以上のように、本発明においては、編糸を掛止する針が円周状に配設された自動丸編靴下編機のシリンダを交互に正方向及び逆方向に回転させながらヒール部、ソール部、トウ部を連続的に編成して製造されるため、靴下状に編成されたものの上部を裁断することによって製造された従来のフットカバーのように裁断位置が一定しないものに比べると、シリンダに具備される針のうち、編成に寄与する針数を調整する等によって、製造後のフットカバーの開口部の端縁のラインを設定することが可能となり、その結果、足の下側から包み込むような状態で着用することができるとともに着用時に不用意に脱げることがなく、且つパンプスからはみでることがないように開口部は一定以上の大きさに形成されたフットカバーを提供することができるという効果がある。
【００６３】
また、従来のように靴下の形態に編成した後に裁断する方法ではなく、シリンダを交互に正方向及び逆方向に回転させながら、ヒール部、ソール部、トウ部を連続的に編成した製造する方法であるため、従来のフットカバーの製造方法のように、裁断という工程が不要となり、全体の製造も簡易化されるという効果がある。
【００６４】
さらに、従来のフットカバーのように余分な縫い目がないので、履きごこちが悪くなることがないという効果がある。
【００６５】
さらに、トウ部におけるゴアラインよりも先端側の生地の編みコース数が、トウ部におけるゴアラインよりも後端側の生地の編みコース数に比べて少なくなるように編成されている場合には、パンプス等を履いた際に、そのパンプスからフットカバーのトウ部の部分がはみ出ることがなく、しかも開口部のトウ部側の端縁における両側部を結ぶ距離が最短距離となるように編成されるので、トウ部の部分が足から離脱しにくい形態となる。
よって、従来において、開口端縁を形成する切断すべき目印となる位置の設定が特に困難であったトウ部においても、切断作業を伴うことなく、上記のようなトウ部の編成コース目に沿った開口端縁を有するように形成することが可能となる。
【００６６】
さらに、ソール部が目減らし及び目増しなしの状態で編成されている場合には、ヒール部やトウ部のように編成が進むにつれて湾曲するようなことがなく、上端縁はほぼまっすぐな状態で編成されることとなり、また甲部が形成されることがないので、従来のように切断作業を伴わずにソール部においてまっすぐな状態の開口端縁を形成することができる。
【図面の簡単な説明】
【図１】一実施形態のフットカバーの正面図。
【図２】同平面図。
【図３】同斜視図。
【図４】シリンダの概略平面図。
【図５】同概略側面図。
【図６】針の概略正面図
【図７】針による糸の編成状態を示す概略正面図。
【図８】針による糸の編成時のシリンダ，カム等の展開状態の正面図。
【図９】長いバットを有する針と短い針を有する針とのシリンダにおける編成範囲を示す概略平面図。
【図１０】針上げピッカーとシリンダとの相関関係を示す概略平面図。
【図１１】針下げピッカーとシリンダとの相関関係を示す概略平面図。
【図１２】針上げ及び針下げとシリンダ、カムとの相関関係を展開した状態で示す概略平面図。
【図１３】長いバットを有する針及び短い針を有する針と、上げスイッチカムとの相関関係を示す概略平面図。
【図１４】針上げピッカーとカムとの相関関係を示す概略平面図。
【図１５】針上げピッカーと針のバットとの相関関係を示す概略側面図。
【図１６】針下げピッカーと針のバットとの相関関係を示す概略側面図。
【図１７】針下げピッカーとカムとの相関関係を示す概略側面図。
【図１８】フットカバーの編成区域を模式的に示す概略正面図。
【図１９】フットカバーの編組織を模式的に示す概略平面図。
【図２０】比較例としてのフットカバーの編組織を模式的に示す概略平面図。
【符号の説明】
１…フットカバー本体　　　　　２…ヒール部
３…トウ部　　　　　　　　　　４…ソール部
５…開口部　　　　　　　　　　８…シリンダ
９…針
【図１】
2004060081.tif 000003
【図２】
2004060081.tif 000004
【図３】
2004060081.tif 000005
【図４】
2004060081.tif 000006
【図５】
2004060081.tif 000007
【図６】
2004060081.tif 000008
【図７】
2004060081.tif 000009
【図８】
2004060081.tif 000010
【図９】
2004060081.tif 000011
【図１０】
2004060081.tif 000012
【図１１】
2004060081.tif 000013
【図１２】
2004060081.tif 000014
【図１３】
2004060081.tif 000015
【図１４】
2004060081.tif 000016
【図１５】
2004060081.tif 000017
【図１６】
2004060081.tif 000018
【図１７】
2004060081.tif 000019
【図１８】
2004060081.tif 000020
【図１９】
2004060081.tif 000021
【図２０】
2004060081.tif 000022